(57)【要約】【課題】分岐脚部が開脚しても刃片が脱落することなく、この刃片が建築物の外壁と内壁の間に落ち込まないようにして、窓の設置具合、ダクトやコンセントボックスを配設具合、電線やケーブルの配線具合に悪影響を与えることがなく、また建築物の改装時において、内壁を取り替える場合においても安全なアンカーを提供する。【解決手段】取付用の螺着具Ｎが基端側から先端方向へ螺着可能とされる合成樹脂製のアンカー本体１と、このアンカー本体１の先端部に取り付けられる刃片２とからなり、前記アンカー本体１に、先端部から途中部までを螺着具Ｎの螺進に伴って開脚可能なように、スリットＳにより一対の分岐脚部６を形成し、前記分岐脚部６の両側縁を橋絡部７で相互に連結し、これら橋絡部７を前記螺着具Ｎの螺進に伴って切断するように構成し、さらに前記刃片２を前記分岐脚部６が開脚しても脱落しないようにした。【選択図】    図１１
2012122562.tif 000002
【特許請求の範囲】
【請求項１】
取付用の螺着具（Ｎ）が基端側から先端方向へ螺着可能とされる合成樹脂製のアンカー本体（１）と、このアンカー本体（１）の先端部に取り付けられる刃片（２）とからなり、前記アンカー本体（１）に、先端部から途中部までを螺着具（Ｎ）の螺進に伴って開脚可能なように、スリット（Ｓ）により一対の分岐脚部（６）を形成し、前記分岐脚部（６）の両側縁を橋絡部（７）で相互に連結し、これら橋絡部（７）を前記螺着具（Ｎ）の螺進に伴って切断するように構成し、さらに前記刃片（２）を前記分岐脚部（６）が開脚しても脱落しないようにしたことを特徴とするアンカー。
【請求項２】
前記分岐脚部（６）の一方の先端から内部にかけて形成した挿着穴（６ａ）に、前記刃片（２）の刃部（２ａ）がこの挿着穴（６ａ）から突出するようにして、その刃片（２）の基部（２ｂ）を挿着したものとしたことを特徴とする請求項１記載のアンカー。
【請求項３】
前記刃片（２）の刃部（２ａ）と基部（２ｂ）の間に直角曲部（２ｃ）を設け、基部（２ｂ）を挿着穴（６ａ）に挿着したときに、刃部（２ａ）が一対の分岐脚部（６）どうしの間のスリット（Ｓ）の延長上に配置されるようにしたことを特徴とする請求項２記載のアンカー。
【請求項４】
前記刃片（２）を金属製にするか、セラミック製にするか、または硬度が高く耐熱性に優れた合成樹脂製にしたことを特徴とする請求項１〜３のいずれかに記載のアンカー。
【発明の詳細な説明】
【技術分野】
【０００１】
この発明は、主として石膏ボードやベニヤ板等合成材に使用するのに適した建築用のアンカーに関するものである。
【背景技術】
【０００２】
従来、この種のアンカーとしては、例えば図１２、１３に示したように、取付用の螺着具が基端側から先端方向へ螺着可能とされる合成樹脂製のアンカー本体１１と、このアンカー本体１１の先端部に取り付けられる金属製の刃片１２とからなるものが存在している。
【０００３】
前記アンカー本体１１は、軸部１３と、その軸部１３の外周に突設された螺線状の雄ねじ突条１４とを有している。また、軸部１３は、横断面の外形が円形状であって先端側がわずかに縮径する緩いテーパ状に形成されている。さらに、前記アンカー本体１１に、先端部から途中部までを螺着具の螺進に伴って開脚可能なように、スリットＳにより分岐脚部１５、１５を形成している。また、前記アンカー本体１１の先端部に金属製の刃片１２を、前記螺着具の螺進に伴って前記分岐脚部１５が開脚して脱落可能なように取り付けられている。そして、前記分岐脚部１５を、刃片倒れ防止用の橋絡部１６により相互に連結すると共に、この橋絡部１６を螺着具の螺進に伴って切断するように構成している（特許文献１）。
【０００４】
このように構成した従来のアンカーは、図１４に示したように、ドライバー等の回転具Ｄの先端をアンカー本体１１の基端の孔１７に嵌入し、刃片１２の先端を石膏ボードやベニヤ板などのボードＢに当接させて回転させる。すると、図１５に示したように、下孔Ｈａにアンカー本体１１がねじ込まれる。
【０００５】
次に、図１６に示したように、被取付部材Ｗの貫孔Ｈｂに取付用の螺着具Ｎのねじ軸部を挿通させると共に、そのねじ軸部をアンカー本体１１の孔１７からスリットＳへと螺入する。これにより、螺着具Ｎにより分岐脚部１５、１５が押し開かれると共に、その押し開く力により橋絡部１６が切断される。そして、その分岐脚部１５、１５の開脚に伴って、刃片１２がアンカー本体１１から脱落する。このように刃片１２が脱落するので、刃片１２が螺着具Ｎの螺進を邪魔することが無く、螺着具Ｎが長い場合でも最後まで確実に螺入できる。
【０００６】
したがって、従来のアンカーは、アンカー本体１１が合成樹脂製であるにもかかわらず、金属製の刃片１２により、建築用のボードＢに、下孔Ｈａを確実に、かつスムースに、しかも迅速に開けることができる。そして、ベニヤ板や合板にでも、スムースに穿孔できる。さらに、ボードＢに開けられた下孔Ｈａにアンカー本体１１をスムースにねじ込むことができる。従って、作業能率が著しく高くなる。また、分岐脚部１５が開脚すると刃片１２が脱落するので、不注意で長過ぎる螺着具Ｎを作業に用いたとしても、その螺進を妨害しないとしている。
【先行技術文献】
【特許文献】
【０００７】
【特許文献１】特許第３４４５１３０号公報
【発明の概要】
【発明が解決しようとする課題】
【０００８】
しかしながら、従来のアンカーでは、上記したように分岐脚部１５が開脚すると刃片１２が脱落するとしているが、この脱落した刃片１２は、建築物のボードＢの外側、すなわち外壁と内壁の間に落ち込んで、その個所に溜まってしまうことになる。
【０００９】
建築物の外壁と内壁の間には、窓を設置したり、ダクトやコンセントボックスを配設したり、電線やケーブルを配線したりするが、従来のアンカーのように刃片１２が脱落するものでは、この脱落した刃片１２が、その窓のサッシ、ダクトやコンセントボックスの上に乗ったり、これらの内部に入り込んだり、電線やケーブルに引っ掛かったり、これらに突き刺さったりすることがある。さらに、建築物の外壁と内壁の間は、湿気が溜まり易い場所であるので、金属製の刃片１２は前記サッシ、ダクトやコンセントボックスの上に乗ったり、内部に入り込んだままで錆びついたり、電線やケーブルに引っ掛かったり、突き刺さったままで錆びついてしまうことがある。しかし、このような状況は、窓の設置具合、ダクトやコンセントボックスを配設具合、電線やケーブルの配線具合に悪影響を与えることがある。
【００１０】
また、建築物の改装時において、内壁を取り替える場合があるが、この内壁と外壁の間に金属製の刃片１２が溜まっていると、内壁を外す作業を行うときに、その刃片１２が作業者の手に突き刺さったりして、危険であるという問題点を有していた。
【００１１】
そこで、この発明は、上記従来の問題点を解決することをその課題としており、分岐脚部が開脚しても刃片が脱落することなく、この刃片が建築物の外壁と内壁の間に落ち込まないようにして、窓の設置具合、ダクトやコンセントボックスを配設具合、電線やケーブルの配線具合に悪影響を与えることがなく、また建築物の改装時において、内壁を取り替える場合においても安全なアンカーを提供することを目的としてなされたものである。
【課題を解決するための手段】
【００１２】
そのため、この発明のアンカーは、取付用の螺着具Ｎが基端側から先端方向へ螺着可能とされる合成樹脂製のアンカー本体１と、このアンカー本体１の先端部に取り付けられる刃片２とからなり、前記アンカー本体１に、先端部から途中部までを螺着具Ｎの螺進に伴って開脚可能なように、スリットＳにより一対の分岐脚部６を形成し、前記分岐脚部６の両側縁を橋絡部７で相互に連結し、これら橋絡部７を前記螺着具Ｎの螺進に伴って切断するように構成し、さらに前記刃片２を前記分岐脚部６が開脚しても脱落しないようにしたものとしている。
【００１３】
そして、この発明のアンカーは、前記分岐脚部６の一方の先端から内部にかけて形成した挿着穴６ａに、前記刃片２の刃部２ａがこの挿着穴６ａから突出するようにして、その刃片２の基部２ｂを挿着したものとしている。
【００１４】
さらに、この発明のアンカーは、前記刃片２の刃部２ａと基部２ｂの間に直角曲部２ｃを設け、基部２ｂを挿着穴６ａに挿着したときに、刃部２ａが一対の分岐脚部６どうしの間のスリットＳの延長上に配置されるようにしている。
【００１５】
また、この発明のアンカーは、前記刃片２を金属製にするか、セラミック製にするか、または硬度が高く耐熱性に優れた合成樹脂製にしている。
【発明の効果】
【００１６】
この発明のアンカーは、以上に述べたように構成されているので、分岐脚部６が開脚しても刃片２が脱落することなく、この刃片２が建築物の外壁と内壁の間に落ち込まないようにしたので、窓の設置具合、ダクトやコンセントボックスを配設具合、電線やケーブルの配線具合に悪影響を与えることがなく、また建築物の改装時において、内壁を取り替える場合においても安全なものとなった。
【図面の簡単な説明】
【００１７】
【図１】この発明のアンカーの一実施形態を示す斜視図である。
【図２】図１に示すこの発明のアンカーの分解斜視図である。
【図３】図１に示すこの発明のアンカーの正面図である。
【図４】図１に示すこの発明のアンカーの側面図である。
【図５】図１に示すこの発明のアンカーの平面図である。
【図６】図１に示すこの発明のアンカーの底面図である。
【図７】図３中のＡ−Ａ線によるこの発明のアンカーの断面図である。
【図８】図４中のＢ−Ｂ線によるこの発明のアンカーの断面図である。
【図９】この発明のアンカーを石膏ボード等からなる壁にドライバーでねじ込んでいる状態を示す説明図である。
【図１０】この発明のアンカーを石膏ボード等からなる壁に取り付けた状態を示す説明図である。
【図１１】壁にねじ込んだこの発明のアンカーに螺着具をねじ込んで被取付部材を取り付けた状態を示す説明図である。
【図１２】従来のアンカーの一例を示す正面図である。
【図１３】図１１に示す従来のアンカーの側面図である。
【図１４】従来のアンカーを石膏ボード等からなる壁にドライバーでねじ込んでいる状態を示す説明図である。
【図１５】従来のアンカーを石膏ボード等からなる壁に取り付けた状態を示す説明図である。
【図１６】壁にねじ込んだ従来のアンカーに螺着具をねじ込んで被取付部材を取り付ける状態を示す説明図である。
【発明を実施するための形態】
【００１８】
以下、この発明を実施するための形態を、図面に基づいて詳細に説明する。
【００１９】
この発明のアンカーは、取付用の螺着具Ｎが基端側から先端方向へ螺着可能とされる合成樹脂製のアンカー本体１と、このアンカー本体１の先端部に取り付けられる刃片２とからなるものとしている。
【００２０】
前記アンカー本体１は、軸部３と、その軸部３の外周に突設された螺線状の雄ねじ突条４とを有している。前記軸部３は、横断面の外形が円形状であって先端側がわずかに縮径する緩いテーパ状に形成されている。また、前記軸部３の基端部には、ドライバー等の回転具Ｄの先端部が嵌合可能な略十文字状の孔５を形成している。
【００２１】
さらに、前記アンカー本体１には、先端部から途中部までを螺着具Ｎの螺進に伴って開脚可能なように、スリットＳにより一対の分岐脚部６を形成している。すなわち、スリットＳがアンカー本体１を径方向に横断するようにすると共に、基端部の孔５に連通するように形成され、前記分岐脚部６どうしが対向するようにして形成されている。そして、この一対の分岐脚部６の両側縁を橋絡部７で相互に連結し、これら橋絡部７を前記螺着具Ｎの螺進に伴って切断するように構成している。図示したものでは、前記分岐脚部６の両側縁を二個ずつ計四個の橋絡部７で相互に連結しているが、この橋絡部７の個数はこれより多くすることも少なくすることもできる。
【００２２】
前記刃片２は、前記螺着具Ｎの螺進に伴って前記一対の分岐脚部６が開脚しても脱落しないようにしている。すなわち、前記分岐脚部６の一方の先端から内部にかけて形成した挿着穴６ａに、刃片２の刃部２ａがこの挿着穴６ａから突出するようにして、その基部２ｂを挿着したものとすることにより、この刃片２を前記分岐脚部６から脱落しないようにしている。
【００２３】
そして、前記刃片２は、先端側に刃部２ａを有しており、この刃部２ａと基部２ｂの間には直角曲部２ｃを設け、基部２ｂを前記挿着穴６ａに挿着したときに、刃部２ａが一対の分岐脚部６どうしの間、すなわちスリットＳの延長上に配置されるようにしている。このようにすると、前記刃部２ａがアンカー本体１の軸芯に位置することになるので、アンカー本体１を石膏ボードやベニヤ板などのボードＢにスムースにねじ込むことができるものとなる。また、前記直角曲部２ｃは、分岐脚６に形成した挿着穴６ａの開口端に当接して、刃部２ａが挿着穴６ａに入り込んでしまわないようにしている。なお、前記刃部２ａは、正面視における形状を、一つ山型としているが、二つ山型や三つ山型としたり、これら以外にしてもよいことはいうまでもない。
【００２４】
さらに、前記刃片２の刃部２ａと基部２ｂの間の両側縁には、補強のための屈曲部２ｄを形成している。なお、前記刃片２は、強度性に優れたものにするため金属製にするのが好ましいが、セラミック製、または熱硬化性樹脂などの硬度が高く耐熱性に優れた合成樹脂製にすることもできる。
【００２５】
このように構成したこの発明のアンカーは、図９に示したように、ドライバー等の回転具Ｄの先端をアンカー本体１の基端部の孔５に嵌入し、刃片２の刃部２ａを石膏ボードやベニヤ板などのボードＢに当接させて回転させていく。すると、図１０に示したように、下孔Ｈａにアンカー本体１がねじ込まれる。
【００２６】
次に、この発明のアンカーは、図１１に示したように、被取付部材Ｗの貫孔Ｈｂに取付用の螺着具Ｎのねじ軸部を挿通させると共に、そのねじ軸部をアンカー本体１の孔５からスリットＳへと螺入する。これにより、螺着具Ｎによって分岐脚部６、６が押し開かれると共に、その押し開く力により橋絡部７が切断される。このとき、刃先２は、その基部２ｂが一方の分岐脚部６の挿着穴６ａに挿着されたままになっているので、分岐脚部６から脱落することはない。また、前記分岐脚部６、６の開脚に伴って、刃片２もアンカー本体１の軸芯からずれていくので、刃片２が螺着具Ｎの螺進を邪魔することがなく、螺着具Ｎが長い場合でも最後まで確実に螺入できるものとなる。
【００２７】
したがって、この発明のアンカーは、アンカー本体１の分岐脚部６、６が開脚しても刃片２が脱落することがないので、その刃片２が建築物の外壁と内壁の間に落ち込むことがない。そして、この発明のアンカーは、窓の設置具合、ダクトやコンセントボックスを配設具合、電線やケーブルの配線具合に悪影響を与えることがなく、また建築物の改装時において、内壁を取り替える場合においても安全なものとなる。
【符号の説明】
【００２８】
１  アンカー本体
２  刃片
２ａ  刃部
２ｂ  基部
２ｃ  直角曲部
６  分岐脚部
６ａ  挿着穴
７  橋絡部
Ｎ  螺着具
Ｓ  スリット
【図１】
2012122562.tif 000003
【図２】
2012122562.tif 000004
【図３】
2012122562.tif 000005
【図４】
2012122562.tif 000006
【図５】
2012122562.tif 000007
【図６】
2012122562.tif 000008
【図７】
2012122562.tif 000009
【図８】
2012122562.tif 000010
【図９】
2012122562.tif 000011
【図１０】
2012122562.tif 000012
【図１１】
2012122562.tif 000013
【図１２】
2012122562.tif 000014
【図１３】
2012122562.tif 000015
【図１４】
2012122562.tif 000016
【図１５】
2012122562.tif 000017
【図１６】
2012122562.tif 000018